【手続補正書】
【提出日】平成18年11月16日(2006.11.16)
【手続補正１】
【補正対象書類名】特許請求の範囲
【補正対象項目名】全文
【補正方法】変更
【補正の内容】
【特許請求の範囲】
【請求項１】
式（ＸＸＸ）：
【化１】
2006518400.tif 000001
［式中、
ｕは、０から８の数であり、ｕが０より大きい場合は、
Ｅは、塩素原子または臭素原子であり、ｕが１より大きい場合はそれらの組合せでもよい］
のペリレン−３，４，９，１０−テトラカルボン酸ジイミドを主成分とする透明ペリルイミド色素調製物の調製方法であって、式（ＸＸＸ）の粗製ペリルイミド色素を、液体水性媒体中、ペリレン分散剤およびＰ．Ｖ．２３から誘導される分散剤の群からの少なくとも１つの色素分散剤の存在下、粉砕スペース１リットルあたり１．０ｋＷを超えない出力密度で操作される撹拌式ボールミル中で、５ｍｍまたはそれを下回るの直径を有する粉砕媒体の作用のもとで、少なくとも５０℃の温度で湿式粉砕し、および得られた色素調製物を分離することを特徴とする調製方法。
【請求項２】
ペリレン分散剤が式（ＩＩ）：
【化２】
2006518400.tif 000002
［式中、
Ｒ１は、水素原子、ヒドロキシル基、もしくはアミノ基、または１から４個の塩素原子もしくは臭素原子により、またはフェニル基、シアノ基、ヒドロキシル基、カルバモイル基、Ｃ２〜Ｃ４アシル基、もしくはＣ１〜Ｃ４アルコキシ基により置換されていてもよい、または過フッ素化もしくは部分フッ素化されたＣ１〜Ｃ８アルキル基であり、
Ｒ２およびＲ３は、互いに独立して水素原子、置換もしくは非置換の、もしくは部分フッ素化、もしくは過フッ素化された１個から２０個の炭素原子を有するアルキル基、または置換もしくは非置換の、もしくは部分フッ素化された、もしくは過フッ素化された２個から２０個の炭素原子を有するアルケニル基であり、置換基がヒドロキシル、フェニル、シアノ、塩素、臭素、Ｃ２〜Ｃ４アシル、またはＣ１〜Ｃ４アルコキシであることができ、
５から７員環またはＲ２およびＲ３は窒素原子とともに、飽和、不飽和、または芳香族性複素環を形成し、所望により前記環にさらなる窒素、酸素、イオウ原子を含み、
ｎは、１から６の数である］
の化合物であることを特徴とする請求項１に記載の方法。
【請求項３】
Ｒ１が水素、ヒドロキシエチレン、メチル、またはエチルであり、Ｒ２およびＲ３はそれぞれメチルまたはエチルであり、ｎは３であるか、または、Ｒ２およびＲ３は隣接する窒素原子とともにイミダゾリル基またはモルホリニル基を形成し、ｎは３であることを特徴とする請求項２に記載の方法。
【請求項４】
ペリレン分散剤が式（ＩＩＩ）：
【化３】
2006518400.tif 000003
［式中、
Ｖは、２価の基−Ｏ−、＞ＮＲ４、または＞ＮＲ５−Ｙ−Ｘ＋であり、
Ｗは、２価の基＞ＮＲ５−Ｙ−Ｘ＋であり、
ｏは、０から８の数であり、ｏが０より大きい場合は、
Ｄは、塩素原子または臭素原子であり、ｏが１より大きい場合はそれらの組合せでもよく、
Ｒ４は、水素原子またはＣ１〜Ｃ１８アルキル基であるか、または非置換の、もしくはハロゲン、Ｃ１〜Ｃ４アルキル、Ｃ１〜Ｃ４アルコキシ、またはフェニルアゾにより１または複数箇所置換されていてもよいフェニル基であり、
Ｒ５は、Ｃ−Ｃ鎖内に−Ｏ−、−ＮＲ６−、−Ｓ−、フェニレン、−ＣＯ−、−ＳＯ２−、もしくは−ＣＲ７Ｒ８−の系列に由来する架橋結合、またはそれらの化学的に合理的な組合せにより１または複数箇所割りこまれることがあるＣ１〜Ｃ１８アルキレン基であり、ここで基Ｒ６、Ｒ７、およびＲ８は互いに独立してそれぞれ水素原子、または非置換、もしくは複素環基で置換されることがあるＣ１〜Ｃ４アルキル基であるか、
またはＲ５は、非置換、または、Ｃ１〜Ｃ４アルキル、もしくはＣ１〜Ｃ４アルコキシにより１または複数箇所置換されていてもよいフェニレン基であり、
Ｙ−は、陰イオン基−ＳＯ３−または−ＣＯＯ−のうちの一方であり、
Ｘ＋は、Ｈ＋、または元素周期律表の主族１から５、または遷移族１、もしくは２、もしくは４から８からの金属陽イオンの
【化４】
2006518400.tif 000004
の等量の定義を有し、ｍは１、２、または３のうちの１つであるか、
またはＭｍ＋は、アンモニウムイオンＮ＋Ｒ９Ｒ１０Ｒ１１Ｒ１２を定義し、ここで置換基Ｒ９、Ｒ１０、Ｒ１１、およびＲ１２は互いに独立してそれぞれ水素原子、またはＣ１〜Ｃ３０アルキル、Ｃ２〜Ｃ３０アルケニル、Ｃ５〜Ｃ３０シクロアルキル、非置換またはＣ１〜Ｃ８アルキル化フェニル、（Ｃ１〜Ｃ４）アルキレン−フェニルの系列に由来する基であり、好ましくはベンジル基、または（ポリ）アルキレンオキシ基：
【化５】
2006518400.tif 000005
［式中、
ｋは、１から３０の数であり、    Ｒ８０は、水素、Ｃ１〜Ｃ４アルキル、またはｋが１より大きい場合はこれらの組合せである］
であり、
ここでアルキル、アルケニル、シクロアルキル、フェニルまたはアルキルフェニルと定義されるＲ９、Ｒ１０、Ｒ１１およびＲ１２はアミノ、ヒドロキシルおよび／またはカルボキシルで置換されていてもよいか、
またはここで、置換基Ｒ９およびＲ１０は４級窒素原子とともに５から７員環飽和環系を形成してもよく、この飽和環系は、所望によりＯ、Ｓ、およびＮの群からのさらなるヘテロ原子を含むか、
またはここで、置換基Ｒ９、Ｒ１０およびＲ１１は４級窒素原子とともに５から７員環芳香族環系を形成してもよく、この芳香族環系は所望によりＯ、Ｓ、およびＮの群からさらなるヘテロ原子を含み、所望によりこの環系にさらなる環が縮合される］
の化合物であることを特徴とする請求項１に記載の方法。
【請求項５】
ペリレン分散剤が式（ＩＶ）：
【化６】
2006518400.tif 000006
［式中、
Ａは、式Ｎ−Ｒ１３−ＮＨ＋Ｒ１４Ｒ１５の２価陽イオンの基であり、
Ｂは、式：
【化７】
2006518400.tif 000007
の２価陰イオンの基であり、
ｅは、０から８の数であり、ｅが０より大きい場合、
Ｐは、塩素原子または臭素原子であり、ｅが１より大きい場合はこれらの組合せであってもよく、
Ｒ１３は、Ｃ１〜Ｃ１２アルキレン基、（Ｃ６〜Ｃ１０）アリール（Ｃ１〜Ｃ６）アルキレン基、または（Ｃ６〜Ｃ１０）アリーレン基であり、
Ｒ１４およびＲ１５は同一または異なり、水素原子、Ｃ１〜Ｃ２０アルキル、またはＣ２〜Ｃ２０アルケニルであるか、または、
Ｒ１４およびＲ１５は、隣接する窒素原子とともに複素環系を形成し、この複素環系は、所望によりさらなるヘテロ原子環メンバーＮ、Ｓ、および／またはＯを含み、所望によりこれにさらなる環が縮合し、
Ｒ１６は、直鎖状または分枝鎖状のＣ１〜Ｃ１２アルキレン基である］
の化合物であることを特徴とする請求項１に記載の方法。
【請求項６】
ｅが０であり、
Ｒ１３が、エチレン基またはプロピレン基であり、
Ｒ１４およびＲ１５は異なるか、または好ましくは同一であり、エチル基、プロピル基、もしくはブチル基であるか、あるいは、
Ｒ１４およびＲ１５は、隣接する窒素原子とともにピロリジン環、ピペラジン環、ピペリジン環、ピロール環、イミダゾリン環、イミダゾール環、またはモルホリン環を形成するか、または、メチル、エチル、または塩素で置換されていてもよいインドール環、インドリン環、またはベンズイミダゾール環系列を形成し、
Ｒ１６は、エチレン基またはプロピレン基であることを特徴とする請求項５に記載の方法。
【請求項７】
ペリレン分散剤が式（Ｖ）：
【化８】
2006518400.tif 000008
［式中、
２つの基Ｚは、同一または異なり、ＺはＺ１、Ｚ３、またはＺ４の定義を有し、ただし両方の基Ｚは同時にＺ４ではなく、ここで、
Ｚ１は式（Ｖａ）：
−［Ｘ−Ｙ］ｑ−［Ｘ１−Ｙ１］ｒ−［Ｘ２−ＮＨ］ｓＨ  （Ｖａ）
［式中、
Ｘ、Ｘ１、およびＸ２は、同一または異なり、分枝鎖状または非分枝鎖状のＣ２〜Ｃ６アルキレン基、または１から４個のＣ１〜Ｃ４アルキル基、ヒドロキシル基、１個から４個の炭素原子を有するヒドロキシアルキル基、および／または１個または２個のさらなるＣ５〜Ｃ７シクロアルキル基で置換されていてもよいＣ５〜Ｃ７シクロアルキレン基であり、
ＹおよびＹ１は、同一または異なり、ＮＨ−、−Ｏ−、Ｎ（Ｃ１〜Ｃ６アルキル）基、または
【化９】
2006518400.tif 000009
であり、
ｑは、１から６の数であり、
ｒおよびｓは、互いに独立して０から６の数であり、ｒおよびｓは、同時にゼロではないのが好ましい］
の基であり、
Ｚ３は、式（Ｖｃ）：
【化１０】
2006518400.tif 000010
［式中、
Ｒ２０およびＲ２１は、互いに独立して、水素原子、置換もしくは非置換の、または部分フッ素化もしくは過フッ素化された１個から２０個の炭素原子を有するアルキル基、または、置換もしくは非置換、または部分フッ素化もしくは過フッ素化された２個から２０個の炭素原子を有するアルケニル基であり、置換基はヒドロキシル、フェニル、シアノ、塩素、臭素、Ｃ２〜Ｃ４アシルまたはＣ１〜Ｃ４アルコキシであることができるか、あるいは、
Ｒ２０およびＲ２１は、窒素原子とともに飽和、不飽和、または芳香族性５〜７員複素環を形成し、所望により環にさらなる窒素、酸素、またはイオウ原子を含み、
Ｘは、上記で定義したとおりである］
の基であり、および式中、
Ｚ４は、水素、ヒドロキシル、アミノ、フェニル、またはＣ１〜Ｃ２０アルキルであり、フェニル環およびアルキル基は、Ｃｌ、Ｂｒ、ＣＮ、ＯＨ、Ｃ６Ｈ５、カルバモイル、Ｃ２〜Ｃ４アシル、およびＣ１〜Ｃ４アルコキシからなる群からの１個または複数個の置換基で置換されることができ、フェニル環はまた、上記で定義されたＮＲ２０Ｒ２１、Ｒ２０、およびＲ２１で置換されることもでき、またはアルキル基は過フッ素化または部分フッ素化されている］
の化合物であることを特徴とする請求項１に記載の方法。
【請求項８】
分散剤が式（Ｉ）：
【化１１】
2006518400.tif 000011
［式中、
ｎは、１から４の数である。］
の化合物としてＰ．Ｖ．２３から誘導されることを特徴とする請求項１に記載の方法。
【請求項９】
色素分散剤が、粗製色素に対して０．１重量％から２５重量％の量で使用されることを特徴とする請求項１から８の一項に記載の方法。
【請求項１０】
水性媒体が、水に対して０から１０重量％までの有機溶媒を含むことを特徴とする請求項１から９の一項に記載の方法。
【請求項１１】
水性媒体のｐＨが９またはそれを上回ることを特徴とする請求項１から１０の一項に記載の方法。
【請求項１２】
粉砕時間が１０分から５時間であることを特徴とする請求項１から１１の一項に記載の方法。
【請求項１３】
粉砕が６０℃から９５℃の温度で行われることを特徴とする請求項１から１２の一項に記載の方法。